(57)【要約】      （修正有）【課題】異なる組立てる場所に応じて設置の高度を自在に調整できると共に、監視カメラの線路コードをまとめて隠蔽することができる監視カメラの支持フレームを提供する。【解決手段】少なくとも三つの支持ロッド２と、複数のベローズカバー３と、コード整理ボックス４と、を備え、前記支持ロッドの側辺にはその内部に貫通する少なくとも一つの孔２４が形成されることにより、監視カメラの線路コードが前記孔を介して前記支持ロッドの内部に隠蔽される。また、前記ベローズカバーは、前記支持ロッドの連接箇所に夫々設けられることにより、前記支持ロッドが監視カメラの設置高さに応じてその長さを調整することができ、又、前記コード整理ボックスは、監視カメラの線路コードを内部にまとめることにより、線路コードの散乱を防止すると共に、安全規定を満たす。【選択図】図３
0003182572.tif 000002
【実用新案登録請求の範囲】
【請求項１】
少なくとも三つの支持ロッドと、複数のベローズカバーと、コード整理ボックスと、を備え、前記支持ロッドの側辺にはその内部に貫通する少なくとも一つの孔が形成されることにより、監視カメラの線路コードが前記孔を介して前記支持ロッドの内部に隠蔽され、前記ベローズカバーは、前記支持ロッドの連接箇所に夫々設けられることにより、前記支持ロッドが監視カメラの設置高さに応じてその長さを調整することができ、又、前記コード整理ボックスは、監視カメラの線路コードを内部にまとめることにより、線路コードの散乱を防止すると共に、安全の規定に満足することを特徴とする監視カメラの支持フレーム。
【請求項２】
前記支持ロッドは、第１支持ロッドと、第２支持ロッドと、第３支持ロッドから構成されることを特徴とする請求項１に記載の監視カメラの支持フレーム。
【請求項３】
前記第３支持ロッドは、ストレートロッド又は９０度に湾曲する湾曲ロッドであることを特徴とする請求項２に記載の監視カメラの支持フレーム。
【請求項４】
前記第３支持ロッドの末端に連接プレート又は球形継手が設けられることを特徴とする請求項２に記載の監視カメラの支持フレーム。
【請求項５】
前記コード整理ボックスは、前記支持ロッドの側辺に設けられることを特徴とする請求項１に記載の監視カメラの支持フレーム。
【請求項６】
前記コード整理ボックスは、前記第３支持ロッドの末端に設けられることを特徴とする請求項１に記載の監視カメラの支持フレーム。
【請求項７】
前記コード整理ボックスの一側に第２孔が形成されると共に、その内部に収容空間があることを特徴とする請求項１に記載の監視カメラの支持フレーム。
【請求項８】
前記コード整理ボックスの一側にロック部材が設けられることを特徴とする請求項１に記載の監視カメラの支持フレーム。
【請求項９】
前記コード整理ボックスの一側に連結部材が設けられることを特徴とする請求項１に記載の監視カメラの支持フレーム。
【請求項１０】
前記連結部材は、係止部材又は係合部材であることを特徴とする請求項９に記載の監視カメラの支持フレーム。
【請求項１１】
前記第１支持ロッドの前端に固定座が設けられることを特徴とする請求項２に記載の監視カメラの支持フレーム。
【請求項１２】
前記第３支持ロッドの末端に前記係止部材と配合する第２係止部材が設けられることを特徴とする請求項２に記載の監視カメラの支持フレーム。
【考案の詳細な説明】
【技術分野】
【０００１】
本考案は、監視カメラの支持フレームであり、特に異なる組立てる場所に応じて設置の高度を自在に調整できると共に、監視カメラの線路コードをまとめて隠蔽することができる監視カメラの支持フレームに関するものである。
【背景技術】
【０００２】
監視カメラは、町の街道、銀行、コンビニ、売り場、デパートなどの場所に良く使用され、それは影像の録画功能だけではなく、リアルに監視の効果を有するため、犯罪の防止に役に立つ。これ以外、監視カメラは、快速道路の観測及び天気の観測には、非常に重要なツールであり、従って、監視カメラは、社会に対して非常に重要である。
【０００３】
しかし、監視カメラは、設置場所が高いであったり、又は壁の隅であるため、設置しにくく、故に他の補助道具によって設置をスムーズに進めることができる。
【考案の概要】
【考案が解決しようとする課題】
【０００４】
図１に示すように、監視カメラの補助道具として使用される従来の支持フレーム（１）は、一体形成されるものであるため、その実際の長さが固定である。監視カメラの設置高さを調整しようとする場合、又は、設置しにくい箇所を回避しようとする場合、その長さが固定であるため、達成できなくなる。又、前記従来の支持フレームの側辺に前記支持フレームの内部に連通する貫通孔が形成しないため、監視カメラの線路コードが散乱で前記支持フレームの外部のみに設置することができ、安全の規定には満足できない。
【０００５】
上述のように、前記従来の支持フレームは、色々な欠点が存在しているため、更に改良する必要がある。従って、前記従来の支持フレームの欠点を改善するものを提供することは、本考案の目的となる。
【課題を解決するための手段】
【０００６】
一、本考案の技術手段 ：
支持ロッドの連接箇所に設けられる複数のベローズカバーにより、監視カメラの設置高さを自在に調整可能とし、異なる高さの設置位置に対応することができ、更に、前記支持ロッドの側辺に設けられる複数の孔とその上に設けられるコード整理ボックスによって監視カメラの線路コードをまとめて隠蔽する監視カメラの支持フレームを提供する。
【０００７】
上記の問題を解決すると共に、上記の目的を達成するために、本考案は下記の手段を採用する。
少なくとも三つの支持ロッドと、複数のベローズカバーと、コード整理ボックスと、を備え、前記支持ロッドの側辺にはその内部に貫通する少なくとも一つの孔が形成されることにより、監視カメラの線路コードが前記孔を介して前記支持ロッドの内部に隠蔽され、前記ベローズカバーは、前記支持ロッドの連接箇所に夫々設けられることにより、前記支持ロッドが監視カメラの設置高さに応じてその長さを調整することができ、又、前記コード整理ボックスは、監視カメラの線路コードを内部にまとめることにより、線路コードの散乱を防止すると共に、安全の規定に満足する。
【０００８】
前記監視カメラの支持フレームにおいて、前記支持ロッドは、第１支持ロッドと、第２支持ロッドと、第３支持ロッドから構成される。
【０００９】
前記監視カメラの支持フレームにおいて、前記第３支持ロッドは、ストレートロッド又は９０度に湾曲する湾曲ロッドである。
【００１０】
前記監視カメラの支持フレームにおいて、前記第３支持ロッドの末端に連接プレート又は球形継手が設けられる。
【００１１】
前記監視カメラの支持フレームにおいて、前記コード整理ボックスは前記支持ロッドの側辺に設けられる。
【００１２】
前記監視カメラの支持フレームにおいて、前記コード整理ボックスは前記第３支持ロッドの末端に設けられる。
【００１３】
前記監視カメラの支持フレームにおいて、前記コード整理ボックスの一側に第２孔が形成されると共に、その内部に収容空間がある。
【００１４】
前記監視カメラの支持フレームにおいて、前記コード整理ボックスの一側にロック部材が設けられる。
【００１５】
前記監視カメラの支持フレームにおいて、前記コード整理ボックスの一側に連結部材が設けられる。
【００１６】
前記監視カメラの支持フレームにおいて、前記連結部材は、係止部材又は係合部材である。
【００１７】
前記監視カメラの支持フレームにおいて、前記第１支持ロッドの前端に固定座が設けられる。
【００１８】
前記監視カメラの支持フレームにおいて、前記第３支持ロッドの末端に前記係止部材と配合する第２係止部材が設けられる。
【考案の効果】
【００１９】
二、従来の技術に対する効果
本考案による提供する監視カメラの支持フレームは、前記の構成を有するので、下記のメリットと効果を達成できる。
１.本考案は、従来の支持フレームと異なり、少なくとも三つの支持ロッドを有し、且つ前記支持ロッドの連接箇所に夫々複数のベローズカバーが設けられ、これらのベローズカバーにより、前記支持ロッドは監視カメラの設置高さ又は設置場所に応じて適当に長さを調整できる。
２.本考案は、従来の支持フレームと異なり、前記支持ロッドの側辺にその内部に貫通する少なくとも一つの孔が形成され、これにより、監視カメラの線路コードが前記孔を介して前記支持ロッドの内部に隠蔽することができ、外部に複数の線路コードの露出を防止できる。
３.本考案は、従来の支持フレームと異なり、前記支持ロッドにコード整理ボックスが設けられ、これにより、監視カメラとトランジスターの線路コードをまとめ、複数の線路コードが結ばれることを防止できる。
４.本考案において、前記コード整理ボックスの一側にロック部材が設けられ、このロック部材によってカメラを前記コード整理ボックスに設置することができる。
【図面の簡単な説明】
【００２０】
【図１】従来の支持フレームを示す斜視図である。
【図２】本考案に係わる監視カメラの支持フレームの第１実施形態を示す斜視図である。
【図３】本考案に係わる監視カメラの支持フレームの第１実施形態を示す斜視図である。
【図４】本考案に係わる監視カメラの支持フレームの第１実施形態を示す斜視図である。
【図５】本考案に係わる監視カメラの支持フレームのコード整理ボックスを示す斜視図。
【図６】本考案に係わる監視カメラの支持フレームの第２実施形態を示す斜視図である。
【図７】本考案に係わる監視カメラの支持フレームの第２実施形態を示す分解斜視図である。
【考案を実施するための形態】
【００２１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２２】
図２〜図４は、本考案に係わる監視カメラの支持フレームの第１実施形態を示す斜視図である。図６は、本考案に係わる監視カメラの支持フレームの第２実施形態を示す斜視図である。
【００２３】
図面に示すように、本考案に係わる監視カメラの支持フレームは、少なくとも三つの支持ロッド（２）と、複数のベローズカバー（３）と、コード整理ボックス（４）と、を備え、前記支持ロッド（２）の側辺にはその内部に貫通する少なくとも一つの孔（２４）が形成されることにより、監視カメラの線路コードが前記孔（２４）を介して前記支持ロッド（２）の内部に隠蔽され、前記ベローズカバー（３）は、前記支持ロッド（２）の連接箇所に夫々設けられることにより、前記支持ロッド（２）が監視カメラの設置高さに応じてその長さを調整することができ、又、前記コード整理ボックス（４）は、監視カメラの線路コードを内部にまとめることにより、線路コードの散乱を防止すると共に、安全の規定に満足する。
【００２４】
本考案に係わる監視カメラの支持フレームには、少なくとも三つの支持ロッド（２）が設けられ、これらの支持ロッド（２）の連接箇所に複数のベローズカバー（３）が夫々設けられることにより、前記支持ロッド（２）同士を連接し、又、前記ベローズカバー（３）を介して前記支持ロッド（２）は監視カメラの異なる設置高さ又は設置位置に応じて監視カメラを設置しやすいようにその長さを調整することができ、即ち、設置高さが高いである時、前記支持ロッド（２）の長さを縮減し、一方、設置高さが低いである時、前記支持ロッド（２）の長さを伸長する。
【００２５】
次に、本考案に係わる監視カメラの支持フレームは、従来の支持フレーム（１）と異なり、前記支持ロッド（２）の側辺に設けられると共に、その内部に貫通する少なくとも一つの孔（２４）が形成されることにより、監視カメラの線路コードが前記孔（２４）を介してこれらの支持ロッド（２）の内部に印ベイされることができ、外部に複数の線路コードの露出を防止できると共に、安全の規定に満足する。
【００２６】
本考案は、従来の支持フレーム（１）と異なり、前記支持ロッド（２）にコード整理ボックス（４）が設けられ、これにより、監視カメラとトランジスターの線路コードを前記コード整理ボックスの内部にまとめ、複数の線路コードが結ばれることを防止できる。
【００２７】
上述のように、本考案に係わる監視カメラの支持フレームは、従来の支持フレーム（１）と異なり、前記支持ロッド（２）は監視カメラの設置高さに応じて伸長又は縮減することができるだけではなく、前記支持ロッド（２）の側辺に設けられる複数の孔（２４）とその上に設けられるコード整理ボックス（４）により、監視カメラの線路コードがまとめて隠蔽されることができ、室内または室外に設けられる監視カメラに対して外観を綺麗になることができる。
【００２８】
前記の構成において、前記支持ロッド（２）は、第１支持ロッド（２１）と、第２支持ロッド（２２）と、第３支持ロッド（２３）から構成される。
【００２９】
本考案に係わる監視カメラの支持フレームは、第１支持ロッド（２１）と、第２支持ロッド（２２）と、第３支持ロッド（２３）から構成され、且つ前記第１支持ロッド（２１）と前記第２支持ロッド（２２）の連接箇所に、及び前記第２支持ロッド（２２）と前記第３支持ロッド（２３）の連接箇所に夫々ベローズカバー（３）が設けられ、これにより、これらの各支持ロッド（２）が監視カメラの設置高さに対する必要な高さに応じてその長さを調整することができる。
【００３０】
上述の構成において、前記第３支持ロッド（２３）は、ストレートロッド又は９０度に湾曲する湾曲ロッドである。
【００３１】
前記第３支持ロッド（２３）は、ストレートロッド又は９０度に湾曲する湾曲ロッドであるため、監視カメラの設置に対する何れの高さ又は角度に対応することができる。
【００３２】
上述の構成において、前記第３支持ロッド（２３）の末端に連接プレート（２３１）又は球形継手（２３２）が設けられる。
【００３３】
前記連接プレート（２３１）を設置することにより、監視カメラを直接にその上に設けられることができ、又は前記連接プレート（２３１）の上方に監視カメラを設置するための角度調整座（６）が更に設けられることにより、録画の位置に応じて角度を調整することができ、又は前記球形継手（２３２）を設置することにより、監視カメラを直接にその上に設けられることができると共に、録画の位置に応じて角度を調整することができる。
【００３４】
上述の構成において、前記コード整理ボックス（４）は、前記支持ロッド（２）の側辺に設けられる。
【００３５】
又、前記支持ロッド（２）の側辺にコード整理ボックス（４）が設けられ、監視カメラの線路コードとトランジスターの線路コードとを前記コード整理ボックス（４）の内部にまとめることにより、複数の線路コードが結ばれてしまうことを防止できる。
【００３６】
上述の構成において、前記コード整理ボックス（４）は前記第３支持ロッド（２３）の末端に設けられる。
【００３７】
又、前記第３支持ロッド（２３）の末端にコード整理ボックス（４）が設けられ、監視カメラの線路コードとトランジスターの線路コードとを前記コード整理ボックス（４）の内部にまとめることにより、複数の線路コードが結ばれてしまうことを防止できる。
【００３８】
図５に示すのは、本考案に係わる監視カメラの支持フレームのコード整理ボックスを示す斜視図であり、図７に示すのは、本考案に係わる監視カメラの支持フレームの第２実施形態を示す分解斜視図である。
【００３９】
図面に示しように、前記コード整理ボックス（４）の一側に第２孔（４１）が形成されると共に、その内部に収容空間（４２）がある。
【００４０】
前記第２孔（４１）が設けられることにより、監視カメラとトランジスターの線路コードを前記収容空間（４２）の内部に収容することができる。
【００４１】
上述の構成において、前記コード整理ボックス（４）の一側にロック部材（４３）が設けられる。
【００４２】
前記ロック部材（４３）により、監視カメラを前記コード整理ボックス（）に設置することができる。
【００４３】
上述の構成において、前記コード整理ボックス（４）の一側に連結部材（４４）が設けられる。
【００４４】
前記連結部材（４４）により、前記コード整理ボックス（４）を前記支持ロッド（２）に設置することができる。
【００４５】
上述の構成において、前記連結部材（４４）は、係止部材（４４１）又は係合部材（４４２）である。
【００４６】
前記コード整理ボックス（４）を前記支持ロッド（２）に設置する態様は、係止部材（４４１）又は係合部材（４４２）を利用する二つの態様がある。
【００４７】
上述の構成において、前記第１支持ロッド（２１）の前端に固定座（５）が設けられる。
【００４８】
前記固定座（５）が設けられることにより、前記支持ロッド（２）が天井又は壁の表面に設けられることができる。
【００４９】
上述の構成において、前記第３支持ロッド（２３）の末端に前記係止部材（４４１）と配合する第２係止部材（２３３）が設けられる。
【００５０】
前記第２係止部材（２３３）とコード整理ボックス（４）の係止部材（４４１）との結合により、前記コード整理ボックス（４）が前記第３支持ロッド（２３）の末端に結合することができる。
【００５１】
上述したように、本考案に係わる監視カメラの支持フレームの実施形態は、確かに達成しようとする効果を達成でき、出願前に公開したこともなく、又同じような製品にも見えないので、実用新案法の規定と要求に満たし、従って、出願して実用新案登録させるよう願う。
【符号の説明】
【００５２】
１      支持フレーム
２      支持ロッド
２１    第１支持ロッド
２２    第２支持ロッド
２３    第３支持ロッド
２３１  連接プレート
２３２  球形継手
２３３  第２係止部材
２４    孔
３      ベローズカバー
４      コード整理ボックス
４１    第２孔
４２    収納空間
４３    ロック部材
４４    連結部材
４４１  係止部材
４４２  係止部材
５      固定座
６      角度調整座
【図１】
0003182572.tif 000003
【図２】
0003182572.tif 000004
【図３】
0003182572.tif 000005
【図４】
0003182572.tif 000006
【図５】
0003182572.tif 000007
【図６】
0003182572.tif 000008
【図７】
0003182572.tif 000009